(57)【要約】      （修正有）【課題】スキージーとペグの２つの用具を１つにして、ステンドグラス風アートの作成作業の利便性を向上させるとともに安価なアート作成用具を提供する。【解決手段】このアート作成用具（７０）は、三角形の最も小さな角の頂点付近を切り落として短辺（７２）を形成した四角形板からなるとともに、短辺から四角形板の内部に進むにつれて浅くなる凹部（７４）が設けられる。この凹部は、四角形板の上面と下面にそれぞれ形成され、上面と形成されたものと下面に形成されたものでは幅と深さが異なる。また、四角形板の少なくとも１辺が上面と下面で角度が異なる楔形（８１）にされる。【選択図】図１
0003124689.tif 000002
【実用新案登録請求の範囲】
【請求項１】
三角形の最も小さな角の頂点付近を切り落として短辺を形成した四角形板からなるとともに、前記短辺から前記四角形板の内部に進むにつれて浅くなる凹部を設けたアート作成用具。
【請求項２】
前記凹部は、前記四角形板の上面と下面にそれぞれ形成され、上面に形成されたものと下面に形成されたものでは幅と深さが異なるようにされた請求項１に記載のアート作成用具。
【請求項３】
前記四角形板の少なくとも１辺が上面と下面で角度が異なる楔形にされた請求項１又は２に記載のアート作成用具。
【請求項４】
前記四角形板には貫通孔が設けられた請求項１、２又は３に記載のアート作成用具。
【請求項５】
前記四角形板には底付き孔が設けられた請求項１、２、３又は４に記載のアート作成用具。
【請求項６】
前記四角形板の１辺に沿って目盛が付された請求項１、２、３、４又は５に記載のアート作成用具。
【考案の詳細な説明】
【技術分野】
【０００１】
この考案は、室内の装飾等に用いられるステンドグラス風アートを作成するための用具に関する。
【背景技術】
【０００２】
出願人は、手芸教室や自宅等において誰でも手軽に、かつ本格的なステンドグラスのような出来栄えに作成出来るステンドグラス風アート作成キットを提供するため、下記特許文献１に示した実用新案登録を得ている
下記特許文献１に開示されたステンドグラス風アート作成キットは、図８に示される型紙２０、図９に示される透明のアクリル板３０、図１０に示されるステンドグラスの模様が印刷されたプリントフィルム４０、図１１に示されるステンドグラスの模様の輪郭を縁取るリード５０とから構成される。
【０００３】
図８に示す型紙２０には、型取りしたプリントフィルム４０及びリード５０のアクリル板３０上への貼付位置を示す輪郭線２１が印刷されている。また、輪郭線２１上には、リード５０の貼り始め位置又は貼り終わり位置を表すマーク２３〜２６が印刷されている。また、輪郭線２１の上には、リード５０の貼り付け順序を記した複数の丸番号２２も印刷されている。
【０００４】
リードエンド（貼り始め貼り終わり）マーク２３（二重丸）は、輪郭線２１の両端で同じものが使用され、いずれか一方のマーク２３からリード５０を貼り始め、他方のマーク２３で貼り終わりとすることを示している。また、貼り始めマーク２４（白丸）と貼り終わりマーク２５（黒丸）は、貼り始めマーク２４からリードを貼り始め、貼り終わりマーク２５でリードを貼り終えることを示している。また、潜り位置マーク２６は、貼り始めマーク２４と対で使用され、リード５０同士が交差する位置において、リード５０を貼り付ける順序の関係上、アクリル板３０上に既に貼付したリード５０を持ち上げて、その下に別のリード５０を潜り込ませる必要がある位置を表している。
【０００５】
また、型紙２０には、各マーク（記号）の説明表２７、位置決め用にアクリル板３０の外周縁部と同形状の輪郭線２８、つり紐を通す孔の形成位置２９が、それぞれ印刷されている。
【０００６】
図９に示したアクリル板３０は、型取りしたプリントフィルム４０とリード５０を貼り付けるベースとなるものであって、アクリル板３０越しに型紙上の輪郭線２１が見えるような透明性を備えている。
【０００７】
図１０に示したプリントフィルム４０は、その表面に型紙２０上の輪郭線２１に対応させた模様４１ａ及び色分け４１ｂが印刷され、その裏面には、離型紙を剥離することで露呈する粘着層４３が形成されている（図１３参照）。
【０００８】
図１１に示すリード５０は、鉛で出来ており、型紙２０上に印刷された輪郭線２１の長さに併せて容易に切断可能で、輪郭線２１の形状にそって容易に曲げられる柔軟性を持ち、底面には離型紙を剥離することで露呈する粘着層５３（図１３参照）が形成されている。
【０００９】
それでは、このステンドグラス風アート作成キットの作成方法について説明する。まず、アクリル板３０を型紙２０に印刷された外郭輪郭線２８に合わせて配置する。
【００１０】
次に、ハサミやカッター等により、プリントフィルム４０に印刷されたステンドグラス模様を輪郭線４２に沿って切り取って型取りする。
【００１１】
次に、型取りしたプリントフィルム４０の裏面から剥離紙を剥がして粘着層４３を露出させ、アクリル板３０越しに型紙２０の模様を確認しつつ、アクリル板３０と粘着層４３との間に空気が入らないように留意しながら、図１２に示したように、型取りしたプリントフィルム４０をアクリル板３０に貼付する。そして、型取りしたプリントフィルム４０をスキージー（フィルム押さえ板、図示省略）と呼ぶ平板状の用具の縁で押し付けて、プリントフィルム４０をアクリル板３０へ密着させていた。
【００１２】
次に、リード５０は、マーク２３から２６によって示された輪郭線２１に対応したそれぞれの長さに切断する。そして、切断したリード５０の底面から剥離紙を剥がして粘着層５３を露出させ、輪郭線２１毎に印刷された丸番号２２の順番に従い、図１２に示したように、アクリル板３０上に表れた輪郭線２１上に貼付していく。２本のリード５０が交差する部分５１については、一方のリード５０の先端を他方のリード５０の長手方向中心付近に位置させて、図１３に示したように、一方のリード５０の上に他方のリード５０を被せて密着させる。
【００１３】
また、潜り位置マーク２６（図８参照）が印刷された箇所については、アクリル板３０上に既に貼付したリード５０をピンセット（図示省略）等で剥がしながら上に持ち上げ、潜り込ませるリード５０をその下に潜り込ませた後に、持ち上げたリード５０を下に降ろす。
【００１４】
その後、図１４に示すように、先端形状がリード５０の外周面と一致するように形成されたペグ６１（リード押さえ）という用具を用いて、アクリル板３０に貼付したリード５０を上から押し付けて接着させていく。特に、リード５０同士の交差する部分５１は、リード５０間の隙間が出来ないようにペグ６１でよく押し付ける。
【００１５】
以上の作業により、誰でも簡単に図１５に示すようなステンドグラス風アートを作成できる。尚、型紙２０の孔位置２９に応じたつり紐用孔３１を穿設し、つり紐３２をかければ壁掛け用の装飾品として使用できる。
【００１６】
【特許文献１】実用新案登録第３１２１５５９号
【考案の開示】
【考案が解決しようとする課題】
【００１７】
ところで、前記特許文献１に開示されたものでは、プリントフィルム４０に対しては、スキージー呼ぶ平板状の用具で押し付けてアクリル板３０へ貼り付けていた。また、リード５０に対しては、ペグ６１と呼ぶ用具で上から押し付けてプリントフィルム４０上に貼り付けていた。このように、スキージーとペグ６１の２つの用具を使用しており、不便であると共に用具が高価となる問題があった。
【００１８】
そこで、本考案では、上記問題に鑑み、スキージーとペグの２つの用具を１つにして、ステンドグラス風アートの作成作業の利便性を向上させるとともに安価なアート作成用具を提供することを課題とする。
【課題を解決するための手段】
【００１９】
前述の問題を解決するため、請求項１に係る考案のアート作成用具は、三角形の最も小さな角の頂点付近を切り落として短辺を形成した四角形板からなるとともに、前記短辺から前記四角形板の内部に進むにつれて浅くなる凹部が設けられる。
【００２０】
請求項２に係る考案は、請求項１に係る考案のアート作成用具において、前記凹部が、前記四角形板の上面と下面にそれぞれ形成され、上面に形成されたものと下面に形成されたものでは幅と深さが異なるようにされる。
【００２１】
請求項３に係る考案は、請求項１又は２に係る考案のアート作成用具において、前記四角形板の少なくとも１辺が上面と下面で角度が異なる楔形にされる。
【００２２】
請求項４に係る考案は、請求項１、２又は３に係る考案のアート作成用具において、前記四角形板には貫通孔が設けられる。
【００２３】
請求項５に係る考案は、請求項１、２又は３に係る考案のアート作成用具において、前記四角形板には底付き孔が設けられる。
【００２４】
請求項６に係る考案は、請求項１、２、３、４又は５に係る考案のアート作成用具において、前記四角形板の１辺に沿って目盛が付される。
【考案の効果】
【００２５】
請求項１に係る考案のアート作成用具によれば、四角形板の短辺以外の適宜な辺でプリントフィルムを押し付けるとスキージーとして使え、前記短辺の凹部でリードを押し付けるペグとして使え、四角形板の短辺及び最も小さな角をなす頂点付近は、リードの形を整えたり滑らかに仕上げたりするリード仕上げ部として使え、１つの用具でスキージーとペグとリード仕上げ部の３つの働きをする。これにより、アート作成が便利になるとともに用具を安価にできる。
【００２６】
請求項２に係る考案のアート作成用具によれば、さらに、四角形板の上面に形成された凹部と下面に形成された凹部では幅と深さが異なるから、太さの異なるリードに対して１つの用具で対応できる。これにより、いっそうアート作成に便利になるとともに用具を安価にできる。
【００２７】
請求項３に係る考案のアート作成用具によれば、さらに、四角形板の少なくとも１辺が上面と下面で角度が異なる楔形にされるから、当該辺をスキージーとして使う際に、使用者の好みや状況等に応じて上面と下面の使い分けができて、いっそうアート作成に便利である。
【００２８】
請求項４に係る考案のアート作成用具によれば、四角形板には貫通孔が設けられているので、曲がったリードを通して真っ直ぐに伸ばしたり、保管用の吊り下げ紐を通したりすることができ、いっそう便利である。
【００２９】
請求項５に係る考案のアート作成用具によれば、さらに、四角形板には底付き孔が設けられるから、リードを底付き孔の周に沿って曲げることで、リードを最大に曲げた状態にすることが容易にでき、いっそうアート作成に便利となる。
【００３０】
請求項６に係る考案のアート作成用具によれば、さらに、四角形板の１辺に沿って目盛が付されるから、必要な個所の寸法を測ることができて、いっそうアート作成に便利である。
【考案を実施するための最良の形態】
【００３１】
以下、図１〜７を参照して、本考案の好適な実施形態について説明する。
【００３２】
図１は、本考案の一実施例に係るステンドグラス風アート作成用具（以下、用具と略記する。）の斜視図である。図２は、前記用具の上面図である。図３は、前記用具の下面図である。図４は、図２におけるIV−IV線に沿う断面図である。図５は、図３におけるＶ−Ｖ線に沿う断面図である。図６は、図２におけるVI−VI線に沿う断面図である。図７は、前記用具の右側面図である。
【００３３】
本実施例の用具７０は、三角形の最も小さな角の頂点付近を切り落として短辺７２を形成したプラスチック製の四角形板７１からなる。頂点付近を切り落とされた短辺７２付近は、リード５０を押し付けるペグとして使用できるように、四角形板７１の内方ほど浅くなるとともに、リード５０の断面に対応した断面を有する凹部７４とされる。四角形板７１の上面と下面では、凹部７４の幅及び深さが異なるようにされ、様々の太さのリード５０に対応できるようにする。この短辺７２の上下両面は、リード５０を押し付けるペグとして使用する他、リード５０の形を整えたり滑らかに仕上げたりするためのリード仕上げ部としても用いられる。
【００３４】
四角形板７１の最も小さな角をなす頂点７６付近も、リード５０の形を整えたり滑らかに仕上げたりするためのリード仕上げ部として使用される。
【００３５】
四角形板７１の適宜２辺７８、８０は、型取りしたプリントフィルム４０を押さえるためのスキージーとして使用できるように、楔形８１に形成される。もちろん、適宜１辺７８だけを又は３辺全部をスキージーとして使用できるように楔形８１にしてもよい。楔形８１は、上面の角度αと下面の角度βが異なり、使用者の好みや状況等に応じて上面と下面の使い分けができるようにされる。
【００３６】
このように、本実施例によれば、１つの用具でスキージーとペグとリード仕上げ部の３つの働きをするから、アート作成が便利になるとともに用具を安価にできる。
【００３７】
さらに、本実施例では、四角形板７１の適宜１辺８２は、必要な個所の寸法を測るための物差しとして使用できるように、上面に目盛８４が付されている。この辺８２には、通常は楔形を形成しない。
【００３８】
四角形板７１の上面と下面には、底付き孔８６も設けられる。この底付き孔８６の周に沿ってリード５０を曲げることによって、リード５０を最大に曲げた最小半径を容易に得ることができる。しかも、上面側と下面側では深さを異にして、太さの異なるリード５０にも対応できるようになっている。
【００３９】
四角形板７１には、薄肉部８８が設けられ、この薄肉部８８に貫通孔９０が開けられる。曲がったリード５０を通すと真っ直ぐに伸ばすことができる。また、貫通孔９０には保管用の吊り下げ用の紐９２を通したりすることができて、便利である。
【００４０】
ところで、本考案は、前記実施例に限るものではなく、種々の変形が可能である。例えば、この用具７０は、ステンドグラス風アートの作成に用いられるだけでなく、その他のステンドグラス風アートと同様な作業を伴う芸術品又は工芸品等のアート作成に広く利用できるものである。
【００４１】
また、前記実施例では鈍角三角形の最も小さな角をなす頂点付近を切り落として四角形板７１を形成したが、直角三角形又は鋭角三角形の最も小さな角をなす頂点付近を切り落として四角形板７１を形成してもよい。
【００４２】
さらに、四角形の適宜１辺８０を握り易いようにいくらか内方へ湾曲させた曲線とすることも可能である。
【００４３】
それから、前記実施例では用具７０を上下非対称にしたが、用具７０は上下対称としてもよいし、四角形板７１の片面側だけに楔形８１の角度α（又はβ）や、リード押さえ用の凹部７４や底付き孔８６を設けてもよい。
【００４４】
もちろん、この用具７０においては、目盛８２や底付き孔８６や薄肉部８８や貫通孔９０は、適宜省略してもよい。
【図面の簡単な説明】
【００４５】
【図１】本考案の一実施例に係るステンドグラス風アート作成用具の斜視図である。
【図２】前記用具の上面図である。
【図３】前記用具の下面図である。
【図４】図２におけるIV−IV線に沿う断面図である。
【図５】図３におけるＶ−Ｖ線に沿う断面図である。
【図６】図２におけるVI−VI線に沿う断面図である。
【図７】前記用具の右側面図である。
【図８】従来のステンドグラス風アート作成キットに含まれる型紙を説明する図である。
【図９】前記キットに含まれるアクリル板を説明する図である。
【図１０】前記キットに含まれるプリントフィルムを説明する図である。
【図１１】前記キットに含まれるリードを説明する図である。
【図１２】前記キットの作成方法について説明する図である。
【図１３】前記キットにおいてリードとリードの交差する部分の断面図である。
【図１４】従来のペグの使用方法を説明する図である。
【図１５】完成したキットの正面図である。
【符号の説明】
【００４６】
５０    リード
７０    ステンドグラス風アート作成用具（アート作成用具）
７１    四角形板
７２    短辺
７４    凹部
７６    頂点
７８、８０、８２  辺
８１    楔形
８４    目盛
８６    底付き孔
９０    貫通孔
【図１】
0003124689.tif 000003
【図２】
0003124689.tif 000004
【図３】
0003124689.tif 000005
【図４】
0003124689.tif 000006
【図５】
0003124689.tif 000007
【図６】
0003124689.tif 000008
【図７】
0003124689.tif 000009
【図８】
0003124689.tif 000010
【図９】
0003124689.tif 000011
【図１０】
0003124689.tif 000012
【図１１】
0003124689.tif 000013
【図１２】
0003124689.tif 000014
【図１３】
0003124689.tif 000015
【図１４】
0003124689.tif 000016
【図１５】
0003124689.tif 000017